(57)【要約】【課題】  狭い装置内における滅菌処理でも駆血帯全体を十分に滅菌することができる駆血帯滅菌処理用支持具を提供すること。【解決手段】  駆血帯ＥＢを滅菌処理時に支持する駆血帯滅菌処理用支持具１であって、金属製の土台部２と、土台部上に互いに間隔を空けて立設され駆血帯を折り返しながら引っ掛けて支持可能な金属製の複数の棒状部３とを備えている。また、土台部が、外形が略長方形状とされ、複数の棒状部が、土台部の一対の短辺に設置された複数の短辺側棒状部３Ａと、土台部の少なくとも１つの中間部に設置された複数の中間棒状部３Ｂとで構成されている。【選択図】      図１
0003199146.tif 000002
【実用新案登録請求の範囲】
【請求項１】
駆血帯を滅菌処理時に支持する駆血帯滅菌処理用支持具であって、
金属製の土台部と、
前記土台部上に互いに間隔を空けて立設され前記駆血帯を折り返しながら引っ掛けて支持可能な金属製の複数の棒状部とを備えていることを特徴とする駆血帯滅菌処理用支持具。
【請求項２】
請求項１に記載の駆血帯滅菌処理用支持具において、
前記土台部が、外形が略長方形状とされ、
複数の前記棒状部が、前記土台部の一対の短辺に設置された複数の短辺側棒状部と、
前記土台部の少なくとも１つの中間部に設置された複数の中間棒状部とで構成されていることを特徴とする駆血帯滅菌処理用支持具。
【請求項３】
請求項２に記載の駆血帯滅菌処理用支持具において、
前記中間棒状部が、前記短辺側棒状部の配列方向に沿って前記短辺側棒状部より多い本数で配列されていることを特徴とする駆血帯滅菌処理用支持具。
【考案の詳細な説明】
【技術分野】
【０００１】
本考案は、駆血帯を滅菌処理する際に駆血帯を支持するために用いる駆血帯滅菌処理用支持具に関する。
【背景技術】
【０００２】
一般に、手術等で血流を止めるために駆血帯（止血帯ともいう）が用いられる（例えば特許文献１参照）。駆血帯としては、例えばゴム製等の弾性を有した帯状材で形成されたエスマルヒ駆血帯などが知られている。
【０００３】
このような駆血帯は、再使用するために、使用後に、通常、オートクレーブ滅菌装置（高圧蒸気滅菌器）等の滅菌装置で滅菌処理を行っている（例えば、特許文献２参照）。
例えば、駆血帯を滅菌装置で滅菌処理する場合、駆血帯が長い帯状であるため（例えば、４ｍの長さがある）、折り畳んだ状態にして装置内に入れ、滅菌処理を行っている。
【先行技術文献】
【特許文献】
【０００４】
【特許文献１】特開２０１３−８５５８０号公報
【特許文献２】特開２０００−１４００７６号公報
【考案の概要】
【考案が解決しようとする課題】
【０００５】
上記従来の技術には、以下の課題が残されている。
すなわち、従来のように長い駆血帯を折り畳んだ状態で滅菌装置内に入れて滅菌処理を行う場合、折り畳んで重なった駆血帯の内面で滅菌が不十分な部分が生じてしまう問題があった。そのため、全体が十分に滅菌されるように何度も同様に滅菌処理を行う必要があり、手間がかかっていた。なお、駆血帯を広げて滅菌処理すれば、全体を滅菌可能であるが、装置の大きさに制限があるため、駆血帯を折り畳まずに広げて装置内に入れることができない。
【０００６】
本考案は、前述の課題に鑑みてなされたもので、狭い装置内における滅菌処理でも駆血帯全体を十分に滅菌することができる駆血帯滅菌処理用支持具を提供することを目的とする。
【課題を解決するための手段】
【０００７】
本考案は、前記課題を解決するために以下の構成を採用した。すなわち、第１の考案に係る駆血帯滅菌処理用支持具は、駆血帯を滅菌処理時に支持する駆血帯滅菌処理用支持具であって、金属製の土台部と、前記土台部上に互いに間隔を空けて立設され前記駆血帯を折り返しながら引っ掛けて支持可能な金属製の複数の棒状部とを備えていることを特徴とする。
【０００８】
本考案の駆血帯滅菌処理用支持具では、土台部上に互いに間隔を空けて立設され駆血帯を折り返しながら引っ掛けて支持可能な金属製の複数の棒状部を備えているので、駆血帯の一方の長辺側を土台部に向け、駆血帯を立てた状態で複数の棒状部に折り返しながら引っ掛けることができる。したがって、長い帯状の駆血帯をコンパクトな状態で支持できると共に、折り返した部分の間に隙間が生じて重ならず、全体を良好に滅菌処理することが可能になる。
【０００９】
第２の考案に係る駆血帯滅菌処理用支持具において、第１の考案において、前記土台部が、外形が略長方形状とされ、複数の前記棒状部が、前記土台部の一対の短辺に設置された複数の短辺側棒状部と、前記土台部の少なくとも１つの中間部に設置された複数の中間棒状部とで構成されていることを特徴とする。
すなわち、この駆血帯滅菌処理用支持具では、複数の棒状部が、土台部の一対の短辺に設置された複数の短辺側棒状部と、土台部の少なくとも１つの中間部に設置された複数の中間棒状部とで構成されているので、駆血帯を短辺側棒状部で折り返すと共に、互いに対向する駆血帯の部分が重なり合うことを中間棒状部で防止でき、より全体を良好に滅菌することができる。
【００１０】
第３の考案に係る駆血帯滅菌処理用支持具において、第２の考案において、前記中間棒状部が、前記短辺側棒状部の配列方向に沿って前記短辺側棒状部より多い本数で配列されていることを特徴とする。
すなわち、この駆血帯滅菌処理用支持具では、中間棒状部が、短辺側棒状部の配列方向に沿って短辺側棒状部より多い本数で配列されているので、駆血帯が折り返される短辺側棒状部よりも多い本数の中間棒状部により、駆血帯の重なり合いをより多くの箇所で効果的に防ぐことができる。
【考案の効果】
【００１１】
本考案によれば、以下の効果を奏する。
すなわち、本考案に係る駆血帯滅菌処理用支持具によれば、土台部上に互いに間隔を空けて立設され駆血帯を折り返しながら引っ掛けて支持可能な金属製の複数の棒状部を備えているので、長い帯状の駆血帯をコンパクトな状態で支持できると共に、折り返した部分の間に隙間が生じて重ならず、全体を良好に滅菌処理することが可能になる。したがって、何度も滅菌処理する必要が無くなり、滅菌作業に係る手間や時間を大幅に削減することが可能になる。
【図面の簡単な説明】
【００１２】
【図１】本考案に係る駆血帯滅菌処理用支持具の一実施形態を示す平面図である。
【図２】本実施形態において、駆血帯滅菌処理用支持具を示す正面図である。
【図３】本実施形態において、駆血帯滅菌処理用支持具を示す写真である。
【図４】本実施形態において、実際に駆血帯を支持した状態の駆血帯滅菌処理用支持具を示す写真である。
【考案を実施するための形態】
【００１３】
以下、本考案に係る駆血帯滅菌処理用支持具の一実施形態を、図１から図４を参照しながら説明する。
【００１４】
本実施形態の駆血帯滅菌処理用支持具１は、図１から図４に示すように、駆血帯ＥＢを滅菌処理時に支持する駆血帯滅菌処理用支持具であって、金属製の土台部２と、土台部２上に互いに間隔を空けて立設され駆血帯ＥＢを折り返しながら引っ掛けて支持可能な金属製の複数の棒状部３とを備えている。
上記駆血帯ＥＢは、例えばゴム製等のエスマルヒ駆血帯であり、４ｍ程度の長さを有している。
【００１５】
上記土台部２は、外形が略長方形状とされている。
この土台部２は、略長方形の枠状部２ａと、枠状部２ａの一対の長辺に両端が固定され長辺間に架け渡された２本の中間支持部２ｂとで構成されている。
複数の棒状部３は、土台部２の一対の短辺に配列設置された複数の短辺側棒状部３Ａと、土台部２の２つの中間部に配列設置された複数の中間棒状部３Ｂとで構成されている。
【００１６】
上記中間棒状部３Ｂは、短辺側棒状部３Ａの配列方向に沿って短辺側棒状部３Ａより多い本数で配列されている。
すなわち、本実施形態では、短辺側棒状部３Ａが２つの短辺に５本ずつ配列され、中間棒状部３Ｂが、２つの中間部（枠状部２ａの中間部分及び中間支持部２ｂ）に７本ずつ配列されている。
なお、土台部２及び棒状部３は、例えばＳＵＳ３０４等で形成されている。
【００１７】
図２及び図４に示すように、この駆血帯滅菌処理用支持具１に駆血帯ＥＢを取り付けて支持する場合、まず一方の長辺を土台部２側に向けた状態で駆血帯ＥＢの一方の端部を、枠状部２ａの一方の短辺角部にある短辺側棒状部３Ａに医療用テープ等で止める。この状態で、枠状部２ａの長辺にある中間棒状部３Ｂの外側を介して他方の短辺角部にある短辺側棒状部３Ａにまで駆血帯ＥＢを延ばし、この短辺側棒状部３Ａに掛けて内側に折り返す。
【００１８】
さらに、折り返した駆血帯ＥＢを枠状部２ａの長辺にある中間棒状部３Ｂと中間支持部２ｂの端部にある中間棒状部３Ｂとの間を通して枠状部２ａの一方の短辺まで延ばし、駆血帯ＥＢの端部を固定した短辺側棒状部３Ａの隣の短辺側棒状部３Ａに掛けて再び折り返す。このように同様に順次、隣接する中間棒状部３Ｂの間に駆血帯ＥＢを通しながら短辺側棒状部３Ａで繰り返し折り返すことで、長い駆血帯ＥＢを駆血帯滅菌処理用支持具１に取り付ける。
【００１９】
なお、駆血帯ＥＢの他方の端部は、医療用テープ等で固定して外れないようにしておく。このように駆血帯ＥＢを支持した状態で、駆血帯滅菌処理用支持具１全体をビニール袋等に入れ、さらに、これを滅菌装置内に入れて滅菌処理を行う。
【００２０】
このように本実施形態では、土台部２上に互いに間隔を空けて立設され駆血帯ＥＢを折り返しながら引っ掛けて支持可能な金属製の複数の棒状部３を備えているので、駆血帯ＥＢの一方の長辺側を土台部２に向け、駆血帯ＥＢを立てた状態で複数の棒状部３に折り返しながら引っ掛けることができる。したがって、長い帯状の駆血帯ＥＢをコンパクトな状態で支持できると共に、折り返した部分の間に隙間が生じて重ならず、全体を良好に滅菌処理することが可能になる。
【００２１】
また、複数の棒状部３が、土台部２の一対の短辺に設置された複数の短辺側棒状部３Ａと、土台部２の少なくとも１つの中間部に設置された複数の中間棒状部３Ｂとで構成されているので、駆血帯ＥＢを短辺側棒状部３Ａで折り返すと共に、互いに対向する駆血帯ＥＢの部分が重なり合うことを中間棒状部３Ｂで防止でき、より全体を良好に滅菌することができる。
【００２２】
さらに、中間棒状部３Ｂが、短辺側棒状部３Ａの配列方向に沿って短辺側棒状部３Ａより多い本数で配列されているので、駆血帯ＥＢが折り返される短辺側棒状部３Ａよりも多い本数の中間棒状部３Ｂにより、駆血帯の重なり合いをより多くの箇所で効果的に防ぐことができる。
【００２３】
なお、本考案の技術範囲は上記各実施形態に限定されるものではなく、本考案の趣旨を逸脱しない範囲において種々の変更を加えることが可能である。
【符号の説明】
【００２４】
１…駆血帯滅菌処理用支持具、２…土台部、３…棒状部、３Ａ…短辺側棒状部、３Ｂ…間棒状部、ＥＢ…駆血帯
【図１】
0003199146.tif 000003
【図２】
0003199146.tif 000004
【図３】
0003199146.tif 000005
【図４】
0003199146.tif 000006